(57)【要約】【課題】全体の厚さをあまり損なわずに小型化を実現できる薬剤拡散装置を提供する。【解決手段】薬剤拡散装置１は、送風機１０、薬剤カートリッジ２０と、電池３０Ａ，３０Ｂと、これらを収納すると共に、薬剤の揮散を許容する開口４４ｊ，５０を設けた装置本体４０を備え、送風機１０を電池３０Ａ，３０Ｂからの供給電力で駆動し、薬剤カートリッジ収納部５５に通気して揮散性薬剤を拡散させる。電池収納部５１は、送風機１０の外側に形成し、２本の電池３０Ａ，３０Ｂを同じ向きで装置本体４０の厚さ方向に積み重ねて収納する。【選択図】図２
2008200024.tif 000002
【特許請求の範囲】
【請求項１】
送風機と、揮散性の薬剤と、電池と、これらを収納すると共に、薬剤の揮散を許容する開口を設けた装置本体を備え、送風機を電池からの供給電力で駆動し、薬剤収納部に通気して薬剤を拡散させる薬剤拡散装置において、
電池収納部は、送風機の外側に形成し、装置本体の厚さ方向で対向する側壁の一方に電池１本分の大きさの電池出し入れ口を設け、装置本体の厚さ方向とは直角な方向で対向する側壁の一方に電池のプラス電極に接触させるプラス側接点を装置本体の厚さ方向に沿って複数設けると共に、装置本体の厚さ方向とは直角な方向で対向する側壁の他方に電池のマイナス電極に接触させるバネ性を持ったマイナス側接点を装置本体の厚さ方向に沿って複数設け、複数本の電池を同じ向きで装置本体の厚さ方向に積み重ねて収納することを特徴とする薬剤拡散装置。
【請求項２】
電池収納部は、複数のプラス側接点を設けた側壁と複数のマイナス側接点を設けた側壁を階段状に形成し、複数本の電池を装置本体の厚さ方向とは直角な方向へ位置ずれさせて収納する請求項１に記載の薬剤拡散装置。
【請求項３】
電池収納部は、電池出し入れ口の形状をプラス側接点の側で部分的に大きくする請求項１又は２に記載の薬剤拡散装置。
【請求項４】
電池収納部は、複数のプラス側接点を設けた側壁と複数のマイナス側接点を設けた側壁に隣接して装置本体の厚さ方向とは直角な方向で対向する側壁の一方に各電池の極性を示す彫刻を付ける請求項１乃至３の何れか１に記載の薬剤拡散装置。
【請求項５】
電池収納部は、装置本体に一体に形成するベースと単体構造の電池収納ケースからなる請求項１乃至４の何れか１に記載の薬剤拡散装置。
【請求項６】
電池収納部は、電池出し入れ口を装置本体内の通気路に開放する請求項１乃至５の何れか１に記載の薬剤拡散装置。
【請求項７】
揮散性薬剤を送風機のファンに保持する請求項１乃至６の何れか１に記載の薬剤拡散装置。
【請求項８】
その内部及び／又はその表面に揮散性薬剤を保持させた請求項７に記載の薬剤拡散装置。
【発明の詳細な説明】
【技術分野】
【０００１】
本発明は、害虫駆除、芳香、医療等の各種用途に対応する揮散性の薬剤を大気中に拡散させる薬剤拡散装置に関する。
【背景技術】
【０００２】
従来、特許文献１に開示された薬剤拡散装置が知られている。この薬剤拡散装置は、装置本体内に、送風機と揮散性の薬剤と電池を収納し、送風機を電池からの供給電力で駆動し、薬剤収納部に通気して薬剤を拡散させる構造になっている。
【特許文献１】特開２００５−１８５１３９号公報
【発明の開示】
【発明が解決しようとする課題】
【０００３】
従来の薬剤拡散装置は、送風機と電池収納部が装置本体の厚さ方向で重なり合うことがないように、電池収納部を送風機の外側に設け、２本の電池を逆向きで装置本体の厚さ方向とは直角な方向に並べて収納しているため、装置本体の厚さは薄くできるものの大きさは損われる。
【０００４】
当該出願人は、電池収納部を送風機の外側に設け、２本の電池を装置本体の厚さ方向に積み重ねて収納することで、２本の電池を１本分の平面積で収納でき、装置全体の薄さをあまり損なうことなく小型化できることを案出した。そして、このような電池収納部を作製し、２本の電池を収納したところ、奥側の電池の取り出しが極めて困難になり、実用的でないこが判明した。
【０００５】
本発明が解決しようとする課題は、電池収納部を送風機の外周側に設け、複数本の電池を装置本体の厚さ方向に積み重ねて収納しても、電池を容易に取り出すことができるようにして、全体の厚さをあまり損なわずに小型化を実現できる薬剤拡散性能の高い薬剤拡散装置を提供することにある。
【課題を解決するための手段】
【０００６】
上記課題を解決するために本発明は、送風機と、揮散性の薬剤と、電池と、これらを収納すると共に、薬剤の揮散を許容する開口を設けた装置本体を備え、送風機を電池からの供給電力で駆動し、薬剤収納部に通気して薬剤を拡散させる薬剤拡散装置において、電池収納部は、送風機の外側に形成し、装置本体の厚さ方向で対向する側壁の一方に電池１本分の大きさの電池出し入れ口を設け、装置本体の厚さ方向とは直角な方向で対向する側壁の一方に電池のプラス電極に接触させるプラス側接点を装置本体の厚さ方向に沿って複数設けると共に、装置本体の厚さ方向とは直角な方向で対向する側壁の他方に電池のマイナス電極に接触させるバネ性を持ったマイナス側接点を装置本体の厚さ方向に沿って複数設け、複数本の電池を同じ向きで装置本体の厚さ方向に積み重ねて収納することを特徴とする。
【０００７】
上記構成を採用することにより、電池収納部から奥側の電池を取り出す際に、手前側の電池のコイルバネや片持ちの板バネからなるバネ性を持ったマイナス側接点が邪魔にならず、奥側の電池が取り出し易くなる。
【０００８】
本発明において、電池収納部は、複数のプラス側接点を設けた側壁と複数のマイナス側接点を設けた側壁を階段状に形成し、複数本の電池を装置本体の厚さ方向とは直角な方向へ位置ずれさせて収納することが好ましい。
【０００９】
上記構成を採用することにより、電池収納部から奥側の電池を取り出す際に、奥側の電池に指先を掛け易く、奥側の電池がより取り出し易くなる。
【００１０】
本発明において、電池収納部は、電池出し入れ口の形状をプラス側接点の側で部分的に大きくすることが好ましい。
【００１１】
上記構成を採用することにより、電池収納部から奥側の電池を取り出す際に、奥側の電池のプラス電極側により指先を掛け易く、奥側の電池がより取り出し易くなる。
【００１２】
本発明において、電池収納部は、複数のプラス側接点を設けた側壁と複数のマイナス側接点を設けた側壁に隣接して装置本体の厚さ方向とは直角な方向で対向する側壁の一方に各電池の極性を示す彫刻を付けることが好ましい。
【００１３】
上記構成を採用することにより、電池収納部への各電池の収納時に、各電池が間違った向きに収納されるのを防止することができる。また、シール表示のように表示機能が磨耗で低下したり、剥がれて消失することもない。
【００１４】
本発明において、電池収納部は、装置本体に一体に形成するベースと単体構造の電池収納ケースからなることが好ましい。
【００１５】
上記構成を採用することにより、装置本体及び電池収納ケースの形状が簡単になり、装置本体及び電池収納ケースを容易に成型することができる。
【００１６】
本発明において、電池収納部は、電池出し入れ口を装置本体内の通気路に開放することが好ましい。
【００１７】
上記構成を採用することにより、電池収納部に侵入する塵埃を吸い出して、各接点への塵埃の付着による接触不良を防止することができる。
【００１８】
また、本発明においては、揮散性薬剤を送風機のファンに保持する、具体的には、その内部及び／又はその表面に揮散性薬剤を保持させると、装置本体の送風機収容部に送風機とともに揮散性薬剤を収容することができ、揮散性薬剤専用の収容部が不要になる分、薬剤拡散装置の小型・薄型化を図ることができる。
【発明の効果】
【００１９】
本発明によれば、電池収納部を送風機の外側に設け、複数本の電池を装置本体の厚さ方向に積み重ねて収納しても、電池を容易に取り出すことができる。これにより、全体の厚さをあまり損なわずに小型化を実現できる薬剤拡散性能の高い薬剤拡散装置になる。
【００２０】
また、本発明においては、揮散性薬剤を送風機のファンに保持し、具体的には、その内部及び／又はその表面に揮散性薬剤を保持させることで、薬剤拡散装置のより一層の小型・薄型化を図ることができる。
【発明を実施するための最良の形態】
【００２１】
以下、本発明の実施形態を図面に基づいて説明する。
【００２２】
図１（Ａ）、（Ｂ）、（Ｃ）は本発明の実施形態に係る薬剤拡散装置の平面図、側面図、底面図、図２は本発明の実施形態に係る薬剤拡散装置の図１（Ａ）におけるＸ−Ｘ断面図である。なお、以下の説明では特に断りがない場合、図１（Ａ）における矢印ａ−ｂ方向を左右方向、矢印ｃ−ｄ方向を前後方向、図１（Ｂ）における矢印ｅ−ｆ方向を厚さ方向（上下方向）として説明する。
【００２３】
図２に示すように、本実施形態に係る薬剤拡散装置１は、送風機１０と、薬剤カートリッジ２０と、送風機１０の電源として使用する単３形の２本の電池３０Ａ，３０Ｂと、これらを収納する樹脂製のハウジングである装置本体４０から構成されている。
【００２４】
送風機１０は、モータ１１と、モータ１１の回転軸１１ａに取り付けてその軸方向に沿って送風するプロペラファン１２を設け、軸流型に構成されている。
【００２５】
薬剤カートリッジ２０は、薬剤含浸体２１を略直方体状で厚さを抑えた薄形の薬剤ケース２２に収納し、装置本体４０に容易且つ安全に着脱できるようにしたものである。薬剤含浸体２１は、通気性を持つ紙、布、織物、不織布、スポンジ等からなり、害虫駆除、芳香、医療等の各種用途に対応する揮散性の薬剤を含浸させている。薬剤含浸体２１の形状は、図２では直方体状であるが、線状、粒状、シート状、ハニカム状であってもよい。薬剤ケース２２は、厚さ方向で対向する両主面（表裏面）側に内外貫通の通気孔２２ａを複数設けている。
【００２６】
図１（Ａ）（Ｂ）（Ｃ），図２に示すように、装置本体４０は、例えば軟式用のテニスボールを略平行な２平面の間に挟んで押し潰したような外形、即ち平面視略円形で側面視略小判形の外形を備え、装置本体４０を床やテーブル等の略水平な平坦面Ｇに置いた時に下側に位置する略水平な平坦面からなる下端部（底部）４１と、上側に位置する略平坦面からなる上端部（天部）４２を設け、薬剤拡散装置１の外郭を構成している。
【００２７】
また、装置本体４０は、上端部４２を下端部４１に対して僅かに左上がりに傾斜させると共に、左側略半分の周側部曲率を右側略半分の周側部曲率より僅かに大きくし、左側略半分の容積を右側略半分の容積より大きくしている。このような装置本体４０は、中間ケース４３と、下ケース４４と、上ケース４５と、ダクト４６と、排気ガイド４７と、電池収納ケース４８の６ピースから構成されている。
【００２８】
図３は本発明の実施形態に係る薬剤拡散装置の中間ケースを斜め上から見た斜視図、図５は本発明の実施形態に係る薬剤拡散装置を裏返しにして下ケースと薬剤カートリッジと全ての電池を取り外したものを斜め上から見た斜視図である。
【００２９】
図１（Ｂ），図２，図３，図５に示すように、中間ケース４３は、略円形の内底板４３ａ周縁部から湾曲した中間周壁４３ｂを一体に立ち上げ、装置本体４０の厚さ方向中間部分を構成している。
【００３０】
内底板４３ａは、その中央部を段差４３ｃを介して外周部より持ち上げ、下表面中央部に、薬剤カートリッジ２０の厚さの略半分を嵌め込み位置決めするための凹部４３ｄを設けると共に、凹部４３ｄ上側の内底板４３ａ中央部に上下面貫通の大きな通気孔４３ｅを設けている。
【００３１】
また、内底板４３ａには、凹部４３ｄの左側に上下面貫通の電池出し入れ口４３ｆを設けている。この電池出し入れ口４３ｆは、各電池３０Ａ，３０Ｂの１本分の大きさ（長さと直径）と略同じ大きさの略矩形状に形成され、各電池３０Ａ，３０Ｂの軸方向に沿う一対の側縁が前後方向に延び、各電池３０Ａ，３０Ｂの径方向に沿う一対の側縁が左右方向に延びており、各電池３０Ａ，３０Ｂを１本ずつ出し入れすることができる。
【００３２】
また、内底板４３ａには、凹部４３ｄと電池出し入れ口４３ｆの間に電池出し入れ口４３ｆの右側縁に沿う矩形平板状の電池収納ベース４３ｇを一体に立ち上げている。この電池収納ベース４３ｇは、各電池３０Ａ，３０Ｂの長さより長い横幅と、各電池３０Ａ，３０Ｂのそれぞれの直径を合わせた高さを備え、各電池３０Ａ，３０Ｂを略水平姿勢で装置本体４０の厚さ方向に積み重ねた時に、それらを一側方から一体的に覆うことができる。
【００３３】
また、内底板４３ａには、電池出し入れ口４３ｆの左側に下ケース取り付け用に上下面貫通の挿入口４３ｈを設け、その挿入口４３ｈの左側縁部に第１係合部４３ｉを設けている。
【００３４】
また、内底板４３ａには、電池出し入れ口４３ｆと挿入口４３ｈの間に、中間周壁４３ｂから挿入口４３ｈの前後側縁に沿って内側へ突出させた一対のリブ４３ｊを介して、電池出し入れ口４３ｆの左側縁に沿う矩形平板状の電池収納ケース押さえ４３ｋを一体に立ち上げ、電池収納ベース４３ｇと対向させている。
【００３５】
さらに、内底板４３ａは、挿入口４３ｈと反対側の周縁部に、該部を部分的に上側に凹ませて下方と右側方を開放した下ケースロック用の挿入部４３ｍを設け、その挿入部４３ｍの右側方にある中間周壁４３ｂに一体に形成した第２係合部４３ｎの先端を挿入部４３ｍの下側開放部に右側開放部から臨ませている。
【００３６】
図１（Ｂ）（Ｃ），図２に示すように、下ケース４４は、略円形の底板４４ａ周縁部から湾曲した下周壁４４ｂを一体に立ち上げ、中間ケース４３の下側に配置し、装置本体４０の下側部分を構成している。
【００３７】
下周壁４４ｂには、その上端部に挿入口４３ｈを通して第１係合部４３ｉに離脱可能に係合させる第１相手係合部４４ｃを設け、底板４４ａには、挿入部４３ｍと対向する位置に上下面貫通の孔４４ｄを設けると共に、その孔４４ｄの上側には、挿入部４３ｍに挿抜可能なバネ性を持った逆Ｖ字形のロック片４４ｅを一体に立ち上げている。このロック片４４ｅは、下側の一端部を孔４４ｄの左側縁部に連設して孔４４ｄの上側に片持ちで立ち上げたもので、上側の折返し部と下側の他端部の間に第２係合部４３ｎに離脱可能に係合させる第２相手係合部４４ｆを一体に形成し、下側の他端部に孔４４ｄから底板４４ａの下表面に突出させるロック操作部４４ｇを一体に形成している。これにより、下ケース４４を中間ケース４３の下側に着脱自在に取り付けるように構成している。
【００３８】
中間ケース４３への下ケース４４の取り付けは、第１相手係合部４４ｃを挿入口４３ｈを通して第１係合部４３ｉに係合させた後、下周壁４４ｂ上端部を内底板４３ａ下表面周縁部に押し付けて密着させるだけで容易に行うことができる。即ち下周壁４４ｂ上端部を内底板４３ａ下表面周縁部に押し付けて密着させる動作に伴って、ロック片４４ｅが挿入部４３ｍに挿入され、第２相手係合部４４ｆが第２係合部４３ｎの内側に重なった状態で係合し、挿入部４３ｍからのロック片４４ｅの抜け止めが行われ、ロックが自動的に掛けられる。
【００３９】
取り付け状態の下ケース４４は、第１相手係合部４４ｃと第１係合部４３ｉの係合及び第２相手係合部４４ｆと第１係合部４３ｎの係合（ロック）によって、底板４４ａが内底板４３ａと対向し、下周壁４４ｂが中間周壁４３ｂの下側に連続的に繋がれた状態で、中間ケース４３の下側に結合されている。
【００４０】
一方、中間ケース４３からの下ケース４４の取り外しは、ロック操作部４４ｇを左側へ押圧操作してロック片４４ｅを変形させ、第２相手係合部４４ｆを第２係合部４３ｎから外してロックを解除した状態で、下周壁４４ｂ上端部を内底板４３ａ下表面周縁部から引き離しながら、ロック片４４ｅを挿入部４３ｍから引き抜いた後、第１相手係合部４４ｃを第１係合部４３ｉから外し、挿入口４３ｈを通して引き抜くだけで容易に行うことができる。
【００４１】
上記のように中間ケース４３の下側に着脱自在に取り付ける下ケース４４は、その底板４４ａの中央部を段差４４ｈを介して外周部より下げ、下表面中央部に一回り小さい凸部４４ｉを設け、その凸部４４ｉが装置本体４０の下端部４１になっている。これにより、薬剤拡散装置１を略水平な平坦面Ｇ上に置いた時には、底板４４ａの凸部４４ｉ下表面が平坦面Ｇに接触し、底板４４ａの段差４４ｈが平坦面Ｇから立ち上がり、底板４４ａの下表面外周部が平坦面Ｇから持ち上げ支持される。
【００４２】
また、底板４４ａには、凸部４４ｉの周囲に上下面貫通の吸気口４４ｊを僅かな間隔で複数設けると共に、凹部４３ｄに対向する凸部４４ｉ上表面に薬剤カートリッジ２０を持ち上げ支持するための小さな突起４４ｋを複数設けている。これにより、装置本体４４の内部下側に、内底板４３ａと底板４４ａ及び下周壁４４ｂで囲われ、各吸気口４４ｊを介して装置本体４４外部と連通した薬剤カートリッジ収納部５５を形成している。
【００４３】
さらに、底板４４ａには、電池出し入れ口４３ｆに対向する凸部４４ｉ上表面外周部に複数の電池押さえ４４ｍを一体に立ち上げている。この各電池押さえ４４ｍは、薬剤カートリッジ収納部５５の通気性を阻害することがないようピン状に形成され、電池出し入れ口４３ｆの長手方向の中心線に沿って配置されており、それぞれの先端が電池出し入れ口４３ｆの直ぐ下側に延出され、後述する電池収納部からの各電池３０Ａ，３０Ｂの脱落を阻止するようになっている。
【００４４】
そして、図２に示すように、薬剤カートリッジ２０は、その一方の主面が各突起４４ｋ先端で下側から支えられ、底板４４ａの凸部４４ｉ上表面から持ち上げ支持され、厚さの略半分が内底板４４ａの凹部４３ｄに嵌め込まれ位置決めされた状態で、薬剤カートリッジ収納部５５に収納保持されている。
【００４５】
装置本体４０への薬剤カートリッジ２０の装着は、下ケース４４を中間ケース４３から取り外し、内底板４３ａ下表面を露出した状態で、薬剤カートリッジ２０を内底板４３ａの凹部４３ｄに嵌め込んだ後、下ケース４４を中間ケース４３に取り付けるだけで容易に行うことができる。
【００４６】
一方、装置本体４０からの薬剤カートリッジ２０の取り出しは、下ケース４４を中間ケース４３から取り外し、薬剤カートリッジ２０を内底板４３ａの凹部４３ｄから抜き取るだけで容易に行うことができる。このような薬剤カートリッジ２０の着脱は、装置本体４０を裏返しにして行うことで、より容易に行うことができる。
【００４７】
なお、中間ケース４３への下ケース４４の取り付け構造は、上記した以外に、下ケース４４の曲率の小さい右側上端部を中間ケース４３に略水平な支点軸を介して開閉可能に取り付け、下ケース４４の曲率の大きい左側上端部を中間ケース４３に係脱可能に係合（ロック）する蓋構造にしてもよい。また、装置本体４０が円筒状の外形を備える場合は、下ケース４４の上端部を中間ケース４３に着脱可能に締結するネジ構造にしてもよい。
【００４８】
図１（Ａ）（Ｂ），図２に示すように、上ケース４５は、略円形の天板４５ａ周縁部から湾曲した上周壁４５ｂを一体に垂下し、中間ケース４３の上側に配置し、装置本体４０の上側部分を構成している。
【００４９】
また、上ケース４５は、その上周壁４５ｂ下端部を中間周壁４３ｂ上端部に突き合い接触させ、天板４５ａが内底板４３ａと対向し、上周壁４５ｂが中間周壁４３ｂの上側に連続的に連続的に繋がれた状態で、中間ケース４３の上側にネジ結合されている。
【００５０】
天板４５ａには、その中央部に内外面貫通の大きな円孔４５ｃを設けている。また、電池出し入れ口４３ｆに対向する下表面外周部に電池収納ケース押さえ４５ｄを一体に垂下している。この電池収納ケース押さえ４５ｄはピン状に形成され、電池出し入れ口４３ｆの長手方向の中心線に沿って配置されており、各電池押さえ４４ｍと対向させている。
【００５１】
図２に示すように、ダクト４６は、その上側をラッパ状に開いた筒状に形成し、上端部を天板４５ａの円孔４５ｃ周縁部に突き合い接触させ、下端部を内底板４３ａの凹部４３ｄ上表面外周部に突き合い接触させ、上ケース４５と下ケース４４で挟んで固定し、円孔４５ｃと通気孔４３ｅを連通接続している。
【００５２】
また、ダクト４６は、有底筒状のモータ取り付け部４６ａと、モータ取り付け部４６ａをダクト４６の内部上側に保持する複数のアーム４６ｂを一体に形成し、装置本体４０の内部上側に、下側を通気孔４３ｅを介して薬剤カートリッジ収納部５５に連通し、上側を円孔４５ｃを介して装置本体４４の外部に開放した送風機収納部４９を形成している。
【００５３】
そして、送風機１０は、そのモータ１１がモータ取り付け部４６ａに嵌合保持され、回転軸１１ａがモータ取り付け部４６ａの下側に鉛直に突出し、プロペラファン１２がモータ取り付け部４６ａと内底板４３ａの凹部４３ｄ上表面の間に回転可能に軸支された状態で、送風機収納部４９に収納保持されている。
【００５４】
図１（Ａ），図２に示すように、排気ガイド４７は、円孔４５ｃより一回り小さい円板状に形成し、下表面中央部にモータ取り付け部４６ａの上端部に嵌合する取り付け部４７ａを一体に垂下し、ダクト４６のラッパ状に開いた上端部内側に同芯状に配置している。
【００５５】
そして、天板４５ａと排気ガイド４７によって装置本体４０の上端部４２を形成すると共に、装置本体４０の上端部４２中央部に、排気ガイド４７の周縁部とダクト４６のラッパ状に開いた上端部の間のリング状の開口からなる排気口５０を設け、送風機収納部４９の上側を排気口５０を介して装置本体４０の外部に連通している。
【００５６】
上記のように装置本体４０は、その下端部４１の周囲に開口した複数の吸気口４４ｊを設けると共に、上端部４２に３６０度全方向へ開口したリング状の排気口５０を設け、吸気口４４ｊと排気口５０の間に送風機１０を収納すると共に、吸気口４４ｊと送風機１０の間に薬剤カートリッジ２０を収納し、また、カートリッジ収納部５５、通気孔４３ｅ、送風機収納部４９によって吸気口４４ｊと排気口５０の間にこれらを連通接続する通気路を形成している。
【００５７】
図４は本発明の実施形態に係る薬剤拡散装置の電池収納ケースを上下逆にしたものを斜め上側から見た斜視図、図６は本発明の実施形態に係る薬剤拡散装置を裏返しにして下ケースと薬剤カートリッジを取り外し電池収納部に１本の電池を収納したものを斜め上から見た斜視図、図７は本発明の実施形態に係る薬剤拡散装置を裏返しにして下ケースと薬剤カートリッジを取り外し電池収納部に全ての電池を収納したものを斜め上から見た斜視図、図８は本発明の実施形態に係る薬剤拡散装置の図７におけるＹ−Ｙ断面図である。
【００５８】
図２，図４乃至図８に示すように、電池収納ケース４８は、電池収納ベース４３ｇとで電池出し入れ口４３ｆの上側、即ち装置本体４０内の送風機収納部４９の左外側に、２本の電池３０Ａ，３０Ｂを略水平姿勢で装置本体４０の厚さ方向に積み重ねて収納する電池収納部５１を形成している。
【００５９】
そして、電池収納ベース４３ｇが電池出し入れ口４３ｆの右側縁に沿って立ち上がる電池収納部５１の右側壁を形成する一方、電池収納ケース４８が、電池出し入れ口４３ｆの前後側縁に沿って立ち上がり、装置本体４０の前後方向で対向する電池出し入れ口４３ｆの前後側壁４８ａ，４８ｂと、電池出し入れ口４３ｆの左側縁に沿って立ち上がり、装置本体４０の左右方向で電池収納ベース４３ｇと対向する電池収納部５１の左側壁４８ｃと、電池出し入れ口４３ｆと装置本体４０の厚さ方向で対向する電池収納部５１の底板４８ｄを一体に形成している。
【００６０】
また、電池収納ケース４８は、電池収納ベース４３ｇと電池収納ケース押さえ４３ｋの間に嵌め込み、前後側壁４８ａ，４８ｂ及び底板４８ｄの右側縁部を電池収納ベース４３ｇの左表面に当接させた状態で、上ケース４５の電池収納ケース押さえ４５ｄと中間ケース４４の電池出し入れ口４３ｆ周縁の内底板４３ａとで挟んで固定し、電池収納ベース４３ｇとで電池出し入れ口４３ｆの上側に電池収納部５１を形成している。
【００６１】
そして、電池収納部５１は、前後側壁４８ａ，４８ｂの一方（本実記形態では前側壁４８ａ）に各電池３０Ａ，３０Ｂのプラス電極に接触させる２つのプラス側接点５２Ａ，５２Ｂを装置本体４０の厚さ方向に並べて設けると共に、前後側壁４８ａ，４８ｂの他方（本実記形態では後側壁４８ａ）に各電池３０Ａ，３０Ｂのマイナス電極に接触させるバネ性を持った２つのマイナス側接点５３Ａ，５３Ｂを装置本体４０の厚さ方向に並べて設け、２本の電池３０Ａ，３０Ｂを同じ向きで装置本体４０の厚さ方向に積み重ねて収納するように構成している。
【００６２】
各プラス側接点５２Ａ，５２Ｂは、金属線材を平坦渦巻き状に曲げ形成した端子部材からなり、各マイナス側接点５３Ａ，５３Ｂは、導電性に優れた金属製のコイルバネからなる。
【００６３】
また、電池収納部５１は、前後側壁４８ａ，４８ｂを断面階段状（クランク状）に形成し、前後側壁４８ａ，４８ｂの上下中間部に略水平な段差４８ｅ，４８ｆを設け、段差４８ｅ，４８ｆより奥側（上側）に位置する前後側壁４８ａ，４８ｂ上部を、段差４８ｅ，４８ｆより手前側（下側）に位置する前後側壁４８ａ，４８ｂ下部に対して装置本体４０の後側へ少し位置ずれさせ、前側壁４８ａ上部に一方のプラス側接点５２Ａを設けると共に、後側壁４８ｂ上部に一方のマイナス側接点５３Ａを設けて、これら一方のプラス側接点５２Ａとマイナス側接点５３Ａを装置本体４０の前後方向で相互に対向させ、また、前側壁４８ａ下部に他方のプラス側接点５２Ｂを設けると共に、後側壁４８ｂ下部に他方のマイナス側接点５３Ａを設けて、これら他方のプラス側接点５２Ｂとマイナス側接点５３Ｂを、一方のプラス側接点５２Ａとマイナス側接点５３Ａと装置本体４０の厚さ方向で重ならないように、一方のプラス側接点５２Ａとマイナス側接点５３Ａに対して装置本体４０の後側へ少し位置ずれした位置にて装置本体４０の前後方向で相互に対向させ、電池出し入れ口４３ｆの真上位置に一方の電池３０Ｂを収納する下部電池収納部５１Ｂを形成すると共に、その下部電池収納部５１Ｂの奥側で、電池出し入れ口４３ｆ及び下部電池収納部５１Ｂに対して装置本体４０の後側へ少し位置ずれした位置に、他方の電池３０Ａを収納する上部電池収納部５１Ａを連続一体に形成し、２本の電池３０Ａ，３０Ｂのそれぞれの軸方向位置（水平位置）を装置本体４０の前後方向に沿って位置ずれさせて収納するように構成している。
【００６４】
また、電池出し入れ口４３ｆは、その左側縁のプラス側接点５２Ｂ側端部を外側に膨らませるように円弧状に形成し、電池出し入れ口４３ｆの形状をプラス側接点５２Ｂ側で大きく（太く）すると共に、これに対応して、下部電池収納部５１Ｂは、その左側壁４８ｃのプラス側接点５２Ａ，５２Ｂ側端部を外側に膨らませるように円弧状に湾曲させ、下部電池収納部５１Ｂのプラス側接点５２Ｂ側端部に、上部電池収納部５１Ａのプラス側接点５２Ａ側端部へ人指し指等の指先を容易に挿入させるためのフィンガースペース５１Ｃを形成している。
【００６５】
また、電池収納部５１は、左右側壁４８ｃ，４３ｇの一方（本実施形態では左側壁４８ｃ）に下部電池収納部５１Ｂと上部電池収納部５１Ａのそれぞれに収納する各電池３０Ａ，３０Ｂの極性を示す彫刻４８ｇを設けている。
【００６６】
さらに、電池収納部５１は、電池出し入れ口４３ｆを送風機収納部４９と各吸気口４４ｊの間の通気路、即ち薬剤カートリッジ収納部５５の外周部に開放している。
【００６７】
なお、装置本体４０内の送風機収納部４９右外側の空間には、電池収納部５１に設けた各接点５３Ａ，５３Ｂをリード線を介して電気接続すると共に、薬剤拡散装置１の電源スイッチを実装し、また、薬剤拡散装置１の作動状態（電源のオン／オフ）や薬剤カートリジ２０及び電池３０Ａ，３０Ｂの交換時期等を使用者に表示するためのＬＥＤ等の表示ランプ等をリード線を介して電気接続した図示しない回路基板が収納されている。装置本体４０の右側周側部には、中間周壁４３ｂ上端部と上周壁４５ｂ下端部に対向状に設けた一対の切り欠き４３ｐ，４５ｅによって内外面貫通の孔５４が形成され、この孔５４から電源スイッチの操作部が装置本体４０の右側周側部表面に露出されている。表示ランプは、排気口５０の下側にあるダクト４６のラッパ状に開いた上側内部に２個を、１８０度間隔で前後方向対称位置に取り付け、ダクト４６の全部又はラッパ状に開いた上側に透光性を持たせて、装置本体４０の上端部４２で各表示を行う。また、ダクト４６と電池収納ケース４８は上ケース４４に収納させて、中間ケース４４と上ケース４５を合わせることで、ダクト４６と電池収納ケース４８は挟まれた形になり、この状態で中間ケース４４と上ケース４５をネジ結合することで固定される。さらに、中間ケース４４と上ケース４５の結合手段は締結部材以外の例えば接着剤であってもよく、装置本体４０が円筒状の外形を備える場合は、ネジ構造にしてもよい。
【００６８】
次に、上記のように構成した本実施形態に係る薬剤拡散装置１の動作を説明する。
【００６９】
図２に示すように、薬剤カートリッジ２０と２本の電池３０Ａ，３０Ｂを装着した装置本体４０を室内や車内等の薬剤拡散領域にある平坦面Ｇに置き、電源スイッチをオンにすると、送風機１０のモータ１１が各電池３０Ａ，３０Ｂからの供給電力で駆動され、送風機１０のプロペラファン１２が一方向に回転する。これにより、装置本体４０外部の空気が装置本体４０の下端部４１周囲にある複数の吸気口４４ｊから装置本体４０内の薬剤カートリッジ収納部５５に吸い込み、その吸い込んだ空気を装置本体４０内の薬剤カートリッジ２０、通気孔４３ｅ、送風機収納部４９（プロペラファン１２）の順に通過させて、装置本体４０の上端部４２中央部にあるリング状の排気口５０から吹き出す。そして、排気口５０から吹き出す空気には、薬剤カートリッジ２０の薬剤含浸体２１を通過する際に、薬剤含浸体２１に含浸させた揮散性の薬剤が混入されており、これにより、揮散性の薬剤が薬剤拡散領域に拡散される。
【００７０】
ここで、本実施形態に係る薬剤拡散装置１は、開封した新品の薬剤カートリッジ２０と、単３形の２本の電池３０Ａ，３０Ｂを装置本体４０に装着し、使用開始してから例えば延べ２４０時間（１日８時間使用して１カ月）使用できる設計になっており、その使用期間の経過に伴って、薬剤カートリッジ２０と各電池３０Ａ，３０Ｂを新品のものに交換する必要がある。
【００７１】
各電池３０Ａ，３０Ｂを交換する際は、装置本体４０を裏返しにして下ケース４４を中間ケース４３から取り外し、図７に示すように、内底板４３ａ下表面を露出した状態で、先ず、電池収納部５１の下部電池収納部５１Ｂに収納されている手前側（電池出し入れ口４３ｆ側）の古い電池３０Ｂを、そのプラス電極側端部に指先を掛けて持ち上げながら、電池出し入れ口４３ｆを通して電池収納部５１から取り出した後（図６参照）、電池収納部５１の上部電池収納部５１Ａに収納されている奥側（底板４８ｄ側）の古い電池３０Ａを、そのプラス電極側端部に指先を掛けて持ち上げながら、電池出し入れ口４３ｆを通して電池収納部５１から取り出す（図５参照）。次に、新品の電池３０Ａを電池出し入れ口４３ｆから挿入し、そのマイナス電極端部を奥側のマイナス側接点５３Ａに押し付けながら、奥側のマイナス側接点５３Ａとプラス側接点５２Ａとの間に押し込み、電池収納部５１の上部電池収納部５１Ａに装着した後（図６参照）、新品の電池３０Ｂを電池出し入れ口４３ｆから挿入し、そのマイナス電極端部を手前側のマイナス側接点５３Ｂに押し付けながら、手前側のマイナス側接点５３Ｂとプラス側接点５２Ｂとの間に押し込み、電池収納部５１の下部電池収納部５１Ａに装着し（図７参照）、図８に示すように、２本の電池３０Ａ，３０Ｂを同じ向きで装置本体４０の厚さ方向に積み重ねて収納する。最後に、下ケース４４を中間ケース４３に取り付けることにより完了する。
【００７２】
そして、本実施形態に係る薬剤拡散装置１において、電池収納部５１は、送風機１０の外側に形成し、２本の電池３０Ａ，３０Ｂを装置本体４０の厚さ方向に積み重ねて収納することにより、全体の厚さをあまり損なわずに小型化を実現することができる。
【００７３】
しかも、電池収納部５１は、２本の電池３０Ａ，３０Ｂを同じ向きで収納することにより、電池収納部５１から奥側の電池３０Ａを取り出す際に、手前側の電池３０Ｂのバネ性を持ったマイナス側接点５３Ｂが邪魔にならず、奥側の電池３０Ａが取り出し易くなっている。
【００７４】
また、電池収納部５１は、２本の電池３０Ａ，３０Ｂを装置本体４０の厚さ方向とは直角な方向へ位置ずれさせて収納することにより、電池収納部５１から奥側の電池３０Ａを取り出す際に、奥側の電池電池３０Ａに指先を掛け易く、奥側の電池３０Ａがより取り出し易くなっている。
【００７５】
さらに、電池収納部５１は、電池出し入れ口４３ｆの形状をプラス側接点５２Ｂの側で部分的に大きくすることにより、電池収納部５１から奥側の電池３０Ａを取り出す際に、奥側の電池３０Ａのプラス電極側により指先を掛け易く、奥側の電池３０Ａがより取り出し易くなっている。
【００７６】
したがって、電池収納部５１を送風機１０の外周側に設け、２本の電池３０Ａ，３０Ｂを装置本体４０の厚さ方向に積み重ねて収納しても、各電池３０Ａ，３０Ｂを容易に取り出すことができ、各電池３０Ａ，３０Ｂの交換を容易に行うことができる。
【００７７】
また、電池収納部５１は、２つのプラス側接点５２Ａ，５２Ｂを設けた側壁４８ａと２つのマイナス側接点５３Ａ，５３Ｂを設けた側壁４８ｂに隣接して装置本体４０の厚さ方向とは直角な方向で対向する側壁４８ｃ，４３ｇの一方に各電池３０Ａ，３０Ｂの極性を示す彫刻４８ｇを付けることにより、電池収納部５１への各電池３０Ａ，３０Ｂの収納時に、各電池３０Ａ，３０Ｂが間違った向きに収納されるのを防止することができ。また、シール表示のように表示機能が磨耗で低下したり、剥がれて消失することもない。
【００７８】
また、電池収納部５１は、装置本体４０に一体に形成する電池収納ベース４３ｇと単体構造の電池収納ケース４８からなることにより、装置本体４０及び電池収納ケース４８の形状が簡単になり、装置本体４０及び電池収納ケース４８を容易に成型することができる。
【００７９】
また、送風機１０は、モータ１１と、モータ１１の回転軸１１ａに取り付けてその軸方向に沿って送風するプロペラファン１２を設け、装置本体４０の吸気口４４ｊと排気口５０の間に収納し、薬剤カートリッジ２０は、装置本体４０の吸気口４４ｊと送風機１０の間に収納することにより、電池収納部５１を送風機１０の外側に設けた上で、装置本体４０の吸気口４４ｊと排気口５０の間に、空気の流通抵抗が小さく通気性に優れたストレートで断面積の大きい通気路を形成して、薬剤の拡散性能を向上させることができる。
【００８０】
また、装置本体４０の排気口５０は、３６０度全方向へ開口することにより、電池収納部５１を送風機１０の外側に設けた上で、３６０度の全方向へ薬剤を拡散させて、薬剤の拡散性能を向上させることができる。
【００８１】
さらに、電池収納部５１は、電池出し入れ口４３ｆを装置本体４０内の送風機１０と吸気口４４ｊの間の通気路となるカートリッジ収納部５５に開放することにより、電池収納部５１に侵入する塵埃を吸い出して、各接点５２Ａ，５２Ｂ，５３Ａ，５３Ｂへの塵埃の付着による接触不良を防止することができる。
【００８２】
図９は本実施形態に係る薬剤拡散装置１の変形構造を示す模式図である。図９において、４００は任意の外形に形成される樹脂製のハウジングである装置本体であり、この装置本体４００は一面の一部を開閉式４００ａに構成することによって電池３０Ａ，３０Ｂの交換に便利である。なお、開閉式４００ａに代えて引出式に構成しても同様の作用効果を得ることができる。また、電池収納部５１など塵埃の付着しやすい箇所には帯電防止剤が処理されていてもよい。
【００８３】
また、ファン１２と揮散性薬剤とが共回りするように、ファン１２に揮散性薬剤を保持させて、薬剤カートリッジ収納部５５をなくしている。ファン１２に揮散性薬剤が保持されているので、薬剤カートリッジ収納部５５が不要となり、薬剤拡散装置１のより一層の小型・薄型化を図ることができる。なお、ファン１２は多翼ファンでも同様の作用効果を得ることができる。
【００８４】
ここで、揮散性薬剤をプロペラファンや多翼ファンなどのファン１２に保持させる手段としは種々の手段があり、大別して（１）その内部に保持させる方式、（２）その表面に保持させる方式がある。ここで、「表面」とは羽根（ブレード）の表面だけでなく、プロペラファンの場合は複数の羽根を外周に取り付けているファン中心部のハブの内外周面（一体、別体の何れでも可）、多翼ファンの場合は多数の羽根（ブレード）を挟む中心部にハブを有する円板状の主板とリング状の副板の表裏面（一体、別体の何れでも可）など、の表面を含む。
【００８５】
（１）の方式では、（ａ）ファン１２自体を揮散性薬剤を混和した吸油性材料（例えば樹脂）によって構成する、（ｂ）ファン１２全体又はその表面に近い内部層を多孔性の吸油性材料で構成し、その多孔性吸油性材料部分に揮散性薬剤を含浸させたものとするなどの揮散性薬剤保持手段を採用することができる。
【００８６】
（２）の手段では、（ｃ）ファン１２の羽根表面に揮散性薬剤を含有する液体を塗布する、（ｄ）ファン１２の羽根表面に揮散性薬剤を含有する又は含浸させたシート状、マット状やパッチ状の薬剤保持体を貼り付ける、（ｅ）ファン１２の羽根表面に揮散性薬剤をガス透過性フィルムからなる容器、又は通気しうる容器に封入したものを固定するなどの揮散性薬剤保持手段を採用することができる。
【００８７】
また、多翼ファンでは、（ｆ）その内（外）周に揮散性薬剤をガス透過性フィルムからなる容器、又は通気しうる容器に封入したものを挟持させたり、収納させる、（ｇ）その内（外）周に通気性薬剤保持材（容器形態、袋形態など）を設け、この通気性薬剤保持材に通気性が阻害されないように薬剤保持体（粒、シート、小片などに揮散性薬剤を含有する薬液を保持させたもの）を使用することでもファン１２に揮散性薬剤を保持させることができる。
【００８８】
上記のようにしてファン１２に保持させた揮散性薬剤は、ファン１２の回転によって排気口５０から気中に拡散させることができ、そして、消費し終わったならば、薬剤拡散装置を継続的に使用するためには、揮散性薬剤を補給する必要があるが、（１）の方式のうち、（ａ）ではファンそのものを新品のものに交換し（使い捨て）、（ｂ）の含浸型では揮散性薬剤を溶液による含浸によって補給してやればよい。また、（２）の方式のうち、（ｃ）及び（ｄ）の含浸型は上記（ｂ）と同様に揮散性薬剤を溶液による含浸によって補給し、（ｄ）の含有型は吸油性材料片を取り換え、（ｅ）及び（ｆ）では揮散性薬剤を封入したものを取り換えればよい。（ｇ）では薬液の補給や薬剤保持体の交換すればよい。
【００８９】
以上、本実施形態は本発明に係る薬剤拡散装置の好適な一実施形態を示したが、本発明はそれに限定されることなく、その要旨を逸脱しない範囲内で種々変形実施することができる。例えば、送風機の電源として単１形、単２形、単３形、単４形、単５形の何れか１種類の電池を複数本使用する薬剤拡散装置に実施可能である。使用する電池は充電式電池などでもよい。また、薬剤拡散装置は交流電源にも接続できる兼用型でもよい。
【図面の簡単な説明】
【００９０】
【図１】本発明の実施形態に係る薬剤拡散装置の（Ａ）平面図、（Ｂ）側面図、（Ｃ）底面図である。
【図２】本発明の実施形態に係る薬剤拡散装置の図１（Ａ）におけるＸ−Ｘ断面図である。
【図３】本発明の実施形態に係る薬剤拡散装置の中間ケースを斜め上から見た斜視図である。
【図４】本発明の実施形態に係る薬剤拡散装置の電池収納ケースを上下逆にしたものを斜め上から見た斜視図である。
【図５】本発明の実施形態に係る薬剤拡散装置を裏返しにして下ケースと薬剤カートリッジと全ての電池を取り外したものを斜め上から見た斜視図である。
【図６】本発明の実施形態に係る薬剤拡散装置を裏返しにして下ケースと薬剤カートリッジを取り外し電池収納部に１本の電池を収納したものを斜め上から見た斜視図である。
【図７】本発明の実施形態に係る薬剤拡散装置を裏返しにして下ケースと薬剤カートリッジを取り外し電池収納部に全ての電池を収納したものを斜め上から見た斜視図である。
【図８】本発明の実施形態に係る薬剤拡散装置の図７におけるＹ−Ｙ断面図である。
【図９】本発明の実施形態に係る薬剤拡散装置の変形構造を示す模式図である。
【符号の説明】
【００９１】
１  薬剤拡散装置
１０  送風機
１１  モータ
１１ａ  回転軸
１２  プロペラファン
２０  薬剤カートリッジ（揮散性薬剤）
３０Ａ，３０Ｂ  電池
４０  装置本体
４３ｇ  電池収納ベース
４３ｆ  電池出し入れ口
４４ｊ  吸気口
４８  電池収納ケース
４８ａ  前側壁
４８ｂ  後側壁
４８ｃ  左側壁
４８ｅ，４８ｆ  段差
４８ｇ  彫刻
４９  送風機収納部
５０  排気口
５１  電池収納部
５１Ａ  上部電池収納部
５１Ｂ  下部電池収納部
５１Ｃ  フィンガースペース
５２Ａ，５２Ｂ  プラス側接点
５３Ａ，５３Ｂ  マイナス側接点
５５  薬剤カートリッジ収納部（薬剤収納部）
【図１】
2008200024.tif 000003
【図２】
2008200024.tif 000004
【図３】
2008200024.tif 000005
【図４】
2008200024.tif 000006
【図５】
2008200024.tif 000007
【図６】
2008200024.tif 000008
【図７】
2008200024.tif 000009
【図８】
2008200024.tif 000010
【図９】
2008200024.tif 000011